(57)【要約】【課題】第１、第２の載置枠を連結する枢結部に人手により把持しうる持ち手を設けることを基本として、折り畳み展開操作を容易かつ安全に行ないう折畳みベッドを提供する。【解決手段】マット半体を載置する第１の載置枠に支脚部を設けた第１のベッド枠体と、マット半体を載置する第２の載置枠に支脚部を設けた第２のベッド枠体とを具え、前記第１、第２の載置枠の向き合う一端部を、該第１、第２の載置枠が水平に展開される展開状態と、逆Ｖ字状の垂直状態との間で折り畳み展開可能に連結する枢結部に、持ち手を設けたことを特徴とする折畳みベッド。【選択図】  図１
2004305554.tif 000002
【特許請求の範囲】
【請求項１】
マット半体を載置する第１の載置枠に支脚部を設けた第１のベッド枠体と、
マット半体を載置する第２の載置枠に支脚部を設けた第２のベッド枠体とを具え、
前記第１、第２の載置枠の向き合う一端部を、該第１、第２の載置枠が水平に展開される展開状態と、逆Ｖ字状の垂直状態との間で折り畳み展開可能に連結する枢結部に、持ち手を設けたことを特徴とする折畳みベッド。
【請求項２】
前記枢結部は、前記第１、第２の載置枠に設けられた対向して突出する受軸の端部を連結する枢結金具であることを特徴とする請求項１記載の折畳みベッド。
【請求項３】
前記枢結部は、前記第１、第２の載置枠に設けられた対向して突出する受軸の端部を連結する枢結金具と、この枢結金具を覆う指詰め防止カバーとからなり、
前記前記持ち手は指詰め防止カバーの外面で固定されたことを特徴とする請求項１記載の折畳みベッド。
【請求項４】
前記持ち手は、前記第１、第２の載置枠の受軸を枢結金具に連結する結合具を用いて取付けたことを特徴とする請求項２又は３記載の折畳みベッド。
【請求項５】
前記持ち手は、握り杆と、該握り杆の両端部から折曲がりその先端に取付部を有する一対の腕部を具えた略コ字状をなし、
前記一対の取付部を、前記枢結部に取付けたことを特徴とする請求項１〜４のいずれかに記載の折畳みベッド。
【請求項６】
前記一対の腕部は、前記握り杆から取付部に向って間隔を減じる向きに、前記握り杆に対して傾斜する傾斜部を有することを特徴とする請求項５記載の折畳みベッド。
【請求項７】
前記持ち手は、折畳みベッドを動作するスイッチ箱を着脱自在に係止可能であることを特徴とする請求項１〜６のいずれかに記載の折畳みベッド。
【発明の詳細な説明】
【０００１】
【発明の属する技術分野】
本発明は、第１、第２の載置枠を連結する枢結部に人手により把持しうる持ち手を設けることを基本として、折り畳み展開操作を容易かつ安全に行ないう折畳みベッドに関する。
【０００２】
【従来の技術】
例えば図１５に示すような、水平な展開状態からベッドを逆Ｖ字状に山形で折畳みすることにより、例えば布団などを取り除くことなく収納しうる折畳みベッドが知られている。このような折畳みベッドａは、布団等を載せうるマット半体ｂ１、ｂ２をそれぞれ載置しかつ支脚部ｃ１、ｃ２を設けた載置枠ｄ１、ｄ２を有する第１、第２のベッド枠体ｅ１、ｅ２の向き合う一端部を、中間支脚部ｆを有する枢結金具ｇにより、折畳み可能に連結している。
【０００３】
また、ベッド及び寝具等の重量に抗して折畳みする際の持上げ力を軽減し、また垂直状態から展開する際に急激に開くことを防止して衝撃を緩和するため、前記中間支脚部ｆの下端と載置枠の他端側との間などに引きバネ等の引張り部材ｈを介装している。
【０００４】
このような引張り部材ｈが存在するが、前記折畳みベッドａを折畳み、又は展開する初動の際には、第１、第２のベッド枠体ｅ１、ｅ２を折畳み、展開させ始める人手による操作が必要であり、従来このとき、ベッド枠体ｅ１、ｅ２の適宜位置を把持することにより行っていた。なお水平状態から折畳むときには、中央部、即ち前記枢結金具ｇ、乃至その近傍を把持して引き上げることにより有効に力を利用でき、又展開するに際しても、ベッド枠体ｅ１、ｅ２の開き動作とともに枢結金具ｇを引き押ろすことにより効率よく展開できる。
【０００５】
他方、枢結金具ｇの把持は、図１６に示すように、展開に際して第１、第２の載置枠ｄ１，ｄ２の向き合う一端部が接近するため、その部分に指などを挿入するときには、例えば、指詰めの危険が生じる。このため、図１６に鎖線で略示するように、指詰め防止カバーｊが提案されている（例えば特許文献１，２参照）。
【０００６】
【特許文献１】
特許第３２２６４９３号明細書
【特許文献２】
特許第３３５２６５０号明細書
【０００７】
【発明が解決しようとする課題】
しかしながら、係る指詰め防止カバーｊにより上方からの指の挿入は確実に防ぎ顕著に指詰めを抑制しえたが、より確実に指詰めを防ぐとともに、折畳み、展開動作の操作性の向上が望まれている。
【０００８】
さらに前記図１５に示すように、折畳みベッドａにおいては、鎖線で示すごとく、例えば上半身が乗るマット半体ｂ２は、適宜折れ曲がる折曲がりマットｂｖを形成するリクライニングベッドとして構成される場合があり、このリクライニングは図示しない電動機構により動作するとともに、この電動機構は、例えばスイッチ箱ｋを用いるスイッチ操作により操作される場合が多い。例えばこのスイッチ箱ｋについて、従来、収納場所がなく、折畳み、展開時に際してコードがベッド枠体ｅ１、ｅ２にからまり、断線の危険の減じることを防ぐために、スイッチ箱ｋを離しておくなどの注意が伴い、またスイッチ箱ｋの場所が不明となって、捜す手間が生じるなどの不便がある。
【０００９】
本発明は、第１、第２の載置枠を連結する枢結部に人手により把持しうる持ち手を設けることを基本として、安全に折り畳み展開操作の行なえ、かつ操作性を向上しうる折畳みベッドの提供を目的としている。また持ち手は、スイッチ箱を係止可能とすることもできる。
【００１０】
【課題を解決するための手段】
本件請求項１に係る発明の折畳みベッドは、マット半体を載置する第１の載置枠に支脚部を設けた第１のベッド枠体と、
マット半体を載置する第２の載置枠に支脚部を設けた第２のベッド枠体とを具え、
前記第１、第２の載置枠の向き合う一端部を、該第１、第２の載置枠が水平に展開される展開状態と、逆Ｖ字状の垂直状態との間で折り畳み展開可能に連結する枢結部に、持ち手を設けたことを特徴とする。
【００１１】
請求項２に係る発明は、前記枢結部が、前記第１、第２の載置枠に設けられた対向して突出する受軸の端部を連結する枢結金具であること、請求項３の発明は、前記枢結部が、前記第１、第２の載置枠に設けられた対向して突出する受軸の端部を連結する枢結金具と、この枢結金具を覆う指詰め防止カバーとからなり、
前記前記持ち手は指詰め防止カバーの外面で固定されたこと、請求項４に係る発明は、前記持ち手が、前記第１、第２の載置枠の受軸を枢結金具に連結する結合具を用いて取付けたことを夫々特徴としている。
【００１２】
さらに請求項５に係る発明は、前記持ち手が、握り杆と、該握り杆の両端部から折曲がりその先端に取付部を有する一対の腕部を具えた略コ字状をなし、
前記一対の取付部を、前記枢結部に取付けたこと、請求項６に係る発明は、前記一対の腕部が、前記握り杆から取付部に向って間隔を減じる向きに、前記握り杆に対して傾斜する傾斜部を有すること、請求項７に係る発明は、前記持ち手が、折畳みベッドを動作するスイッチ箱を着脱自在に係止可能であることを特徴とする。
【００１３】
【発明の実施の形態】
以下本発明の一実施の形態を図面に基づき説明する。図１は折畳みベッド１の展開状態の斜視図、図２は正面図であり、図１において折畳みベッド１は、マット半体２Ａを載置する第１の載置枠３Ａに支脚部４Ａを設けた第１のベッド枠体５Ａと、マット２Ｂを載置する第２の載置枠３Ｂに支脚部４Ｂを設けた第２のベッド枠体５Ｂとを具え、前記第１、第２の載置枠３Ａ、３Ｂの向き合う一端部を、水平に展開される展開状態と、逆Ｖ字状の垂直状態との間で折畳み展開可能に連結する枢結部６に、持ち手７を設けている（なお各部材において、第１、第２と区別するときにはＡ、Ｂを数字末尾に付し、区別する必要のないときは、「第１，第２」の語を、符号Ａ、Ｂとともにを省略する）。なお持ち手７にはスイッチ箱１４を係止できる。
【００１４】
本形態では、前記第１，第２のベッド枠体２Ａ，２Ｂは、同形かつ向き合う一端部（各ベッド枠体２Ａ，２Ｂにおいて向き合う側をともに前側という）を巾方向に通る中心線ｘに対して線対称に形成され、前記第１、第２の載置枠３Ａ、３Ｂは、適宜補強材を設けた略矩形の周囲枠２１にネット材などを張設することにより、マットの半分であるマット半体２Ａ、２Ｂを夫々載置できる。又側枠部２１ａには、その側枠部２１ａから前側に突出する断面矩形の管材からなりかつ端部に透孔２１ｂ１（図６に示す）を形成した受軸２１ｂを設け、かつ外枠部２１ｃには宮状枠２１ｄを立ち上げている。
【００１５】
又図１，２に示すように、前記周囲枠２１の前記側枠部２１ａは、その後側部分を前記支脚部４により枢支され、かつこの支脚部４は、前記側枠部２１ａを枢支する支柱部２３ａと、その下端から後側にのびかつ先端部にキャスタを設けた張出し部２３ｂとを有する主脚部２３、及び主脚部２３間を継ぐ脚継ぎ軸２４から前側にのびかつ先端部にキャスタを設けた副脚部２５からなる。
【００１６】
前記枢結部６は、本形態では、図６，７に示すように、枢結金具９と、指詰め防止カバー１０とからなり、前記枢結金具９は、平行な内外の側板９ａ、９ｂ下端を、各外側に切欠き部９ｃ，９ｄを設ける巾狭の底板９ｅにより結合し、かつ前記側板９ａ，９ａの前後に透孔９ａ１を穿設している。またベッド両側の枢結金具９、９は、各内側の側板９ｂ、９ｂ間を連結軸２７により連結され、かつ本形態では、連結軸２７には、前記枢結金具９とは距離Ｌを隔てた位置から下向きにのびる脚部下端を継ぎ軸３０で結合した中間支脚１１を設けており、前記枢結金具９，９と、連結軸２７と、中間支脚１１とは、一体な枢結用中間枠１２を構成する。
【００１７】
又前記指詰め防止カバー１０は、前記側板９ａ、９ｂの各外面、内面を覆う外板１０ａ、内板１０ｂの上端を天板１０ｃにより継いだ下開放のコ字状をなし、かつ前記内板１０ｂには前記連結軸２７が通る欠切部１０ｄを設け、かつ外板１０ａ、内板１０ｂには、前記透孔９ａ１，２１ｂ１に位置合わせしうる透孔１０ｅを形成している。
【００１８】
前記透孔９ａ１，２１ｂ１、１０ｅに、図５に示すごとく、ボルトなどの結合具３２を挿通するとともに、本形態では、この結合具３２を用いて前記持ち手７を固定している。持ち手７は、図４に例示するように、握り杆７Ａと、該握り杆７Ａの両端部から折曲がりその先端に平坦な取付部３４を有する一対の腕部７Ｂ，７Ｂを具えた略コ字状をなす。又前記一対の腕部７Ｂ，７Ｂは、前記握り杆７Ａから取付部３４に向って間隔を減じる向きに、巾が狭まる向きに傾斜する傾斜部３５を具え、前記取付部３４を残して例えば断面円形に形成される。
【００１９】
又図５，６に示すように、本形態では、前記指詰め防止カバー１０の外巾Ｗと略同長さのカラー４０を前記結合具３２に外挿して、透孔９ａ１，２１ｂ１、１０ｅを挿通させている。これにより、結合具３２をナット、ワッシャなどを用いて締め付けるときにも、前記指詰め防止カバー１０、枢結金具９の狭まりを生じることなく、前記持ち手７を強固に固定でき、かつ前記第１、第２の載置枠３Ａ、３Ｂの向き合う一端部を円滑に回動自在に枢結できる。
【００２０】
なお、本形態では前記支脚部４の支柱部２３ａと中間支脚１１との間に同高さで連結杆４１を枢着することにより、支柱部２３ａと中間支脚１１と連結杆４１と側枠部２１ａとにより平行クランク機構を形成し、かつ前記中間支脚１１とベッド載置枠３の後端側との間にバネ手段４４を有する折畳み展開補助具４５を設けて、折畳み時の力を補助し、かつ急激な展開を防いで衝撃を抑制する。さらに、図２に一点鎖線で示すように、マット半体２Ａをさらにリクライニング状に折り曲げ、マット折り曲げ体２Ａ１とする、図示しない電動式のリクライニング装置を設け、この装置には、コード４５を介して、操作用のスイッチ箱１４を設けている。
【００２１】
又前記持ち手７、スイッチ箱１４は、該スイッチ箱１４を前記持ち手７に吊り下げ等により、着脱自在に係止しうるように構成する。なお、スイッチ箱１４には、マット２の前記リクライニング用のものの他、テレビなどのリモートコントール箱をも包含する。
【００２２】
しかして、前記のように、第１、第２の載置枠３Ａ，３Ｂは向き合う端部を、枢結部６，本例では枢結金具９の両端で連結する。また枢結金具９はその上方を指詰め防止カバー１０により覆われ、指などの受軸２１ｂ間への挿入を防いで、折畳みに伴う指詰めなどを防止しうる。又受軸２１ｂは、折畳みとともに前記切欠き部９ｃ，９ｄに入り、かつ前記平行クランク機構と相俟って、対称的な動作により、第１、第２の載置枠３Ａ，３Ｂは図３に示すように、逆Ｖ字に垂直に折畳みできる。又展開、折畳み動作に際してバネ手段４６を有する折畳み展開補助具４７が力を補助しかつ展開時の衝撃を緩和する。なお、図５において前記したように、中間支脚１１は、枢結金具９よりも距離Ｌを隔てるため、図３における折畳み状態において、ベッド枠体２と該中間支脚１１との間の小間隙ｙの発生を無くし、手指の詰めを防ぎうる。又持ち手７にスイッチ箱１４を吊り下げておくことにより、その断線の危険を無くし、かつ取付け場所を一定として捜す手間がなく、使い勝手を高めうる。
【００２３】
しかも、折畳みに際して、前記持ち手７を把持して持ち上げることにより、効率よく力を折畳みベッド１の折曲げ部に作用でき、非力な使用者でも折畳みを容易とするとともに、不用意に枢結部６乃至その近傍を把持する危険をさらに減じて、折畳み展開操作を安全とする。さらに展開に際しても、載置枠３の押し広げとともに持ち手７を押し下げることが容易となり、展開作業を容易とするとともに、持ち手７をつかむことによって、指、手などが挟まれることをより抑制できる。
【００２４】
なお、前記持ち手７は、前記握り杆７Ａを下に取り付ける場合の他、図４に一点鎖線で示すように、上向きとすることもでき、このときに用いる持ち手７は、図８に示すように、スポンジ、ゴム等の被覆層５６を設けている。又、前記結合具３２以外の他の固定用の別個のネジ手段を用いて結合することもできる。
【００２５】
図９は、持ち手７の他の例を示し、略矩形の枠状をなし被覆層５６を具える。該持ち手７は、帯鋼材をヘアピン状に折曲げ形成され、枢結金具９の下面に溶接された支持具５７の先端部に嵌合することにより取付けられている。
【００２６】
図１０は、持ち手７と枢結金具９の他の形態を示す。持ち手７は握り杆７Ａと、該握り杆７Ａの略中央下部に固定されたＬ字状の腕部７Ｂとからなる。前記腕部７Ｂは縦部７Ｂ２と横部７Ｂ１とからなり、握り杆７Ａと縦部７Ｂ２とでＴ型グリップ状をなしている。前記腕部７Ｂの端部が枢結金具９に固定されている。本例では、前記腕部７Ｂの横部７Ｂ１の端部が枢結金具９の側板９ａの表面に、溶接等により固定されている。更に本例では、腕部７Ｂの横部７Ｂ１が枢結金具９の側板９ａを貫通し、かつ側板９ｂの内側面に固定されている。これにより側板９ａ、９ｂは連結されて枢結金具９を構成している。
【００２７】
図１１、図１２は、枢結部７の枢結金具９がそれ自体に天板部９ｆを設けた一体な金属製の金具であり、指詰め防止カバーを用いない場合を例示し、結合具３２は例えば段付きネジ４６であって、軸部長さが枢結金具９の前記巾以上であることにより枢結金具９を変形させることなく、持ち手７を枢結金具９の外面に強固に固定しうる。なお枢結金具９の剛性が大であるときには、前記カラー４０，段付きネジ４６を用いることなく、通常のボルトを用いて締め付け、持ち手９を取付けうる。
【００２８】
図１３、図１４は持ち手７の構造の他の例を示す。例えば角管からなりかつ前記枢結金具９の下面に溶接、図示しないボルトなどにより固定された受け金具５０と、その内部に挿入できかつ例えば円環状の持ち手７を下が外方に出る傾きを有して固定した角管体からなる持ち手金具５１とからなり、該持ち手金具５１に、ナットなどの取付け、又は直接螺設することに形成される内ネジ５２に、前記受け金具５０から通すネジ具５５を螺合することによって、持ち手７を固定している。なお本例では、図１３に示すように、前記受け金具５１とベッド載置枠３との間に手指の挟みを防止する程度の間隙ｚを設けているが、持ち手７があるため、指詰めの恐れは実質的になく、前記間隙ｚを略することができる。
【００２９】
なお、本願発明の折畳みベッドにおいて、ベッド枠体は、前記のような、ベッド枠体２の端部を通る中心線ｘに対して線対称のものの他、一端の支脚をベッド載置枠３に直接固定し、又は一方の支脚を壁などに固定して設けたものなど種々な形式のベッドに利用できる。
【００３０】
【発明の効果】
このように、本発明の折畳みベッドは、枢結部に、人手により把持しうる持ち手を具えることにより、持ち手により折畳み展開操作が行なえるため、開閉動作のための力を効率化し、かつ不用意な場所の把持をなくして手指詰め等のトラブルをさらに防止して操作の安全性が確保できる。
【００３１】
又スイッチ箱を持ち手につり下げることにより、折畳み展開による断線などの危険を防ぎ、かつ存在場所を明確にして、使い勝手を向上する。
【図面の簡単な説明】
【図１】本発明の一実施形態を例示する折畳みベッドの全体斜視図である。
【図２】その正面図である。
【図３】折畳み状態を例示する正面図である。
【図４】持ち手部分の拡大して示す斜視図である。
【図５】枢結部を例示する断面図である。
【図６】枢結部を例示する分解斜視図である。
【図７】枢結金具と指詰め防止カバーとを詳示する分解斜視図である。
【図８】持ち手の他の形態を例示する斜視図である。
【図９】持ち手の更に異なる形態を例示する斜視図である。
【図１０】持ち手と、枢結金具の異なる形態を例示する斜視図である。
【図１１】他の枢結金具を例示する斜視図である。
【図１２】その金具を用いた枢結部の断面図である。
【図１３】持ち手の他の形態を例示する斜視図である。
【図１４】その断面図である。
【図１５】従来の折畳みベッドを例示する斜視図である。
【図１６】指詰めについて説明する線図である。
【符号の説明】
１                                    折畳みベッド
２、２Ａ，２Ｂ            マット半体
３，３Ａ，３Ｂ            載置枠（第１，２の載置綿）
４，４Ａ，４Ｂ            支脚部（第１，２の支脚部）
５、５Ａ、５Ｂ            ベッド枠体（第１，２のベッド枠体）
６                                    枢結部
７                                    持ち手
９                                    枢結金具
１０                                    指詰め防止カバー
３４                                    取付部
３５                                    傾斜部
７Ａ                                握り杆
７Ｂ                                腕部
【図１】
2004305554.tif 000003
【図２】
2004305554.tif 000004
【図３】
2004305554.tif 000005
【図４】
2004305554.tif 000006
【図５】
2004305554.tif 000007
【図６】
2004305554.tif 000008
【図７】
2004305554.tif 000009
【図８】
2004305554.tif 000010
【図９】
2004305554.tif 000011
【図１０】
2004305554.tif 000012
【図１１】
2004305554.tif 000013
【図１２】
2004305554.tif 000014
【図１３】
2004305554.tif 000015
【図１４】
2004305554.tif 000016
【図１５】
2004305554.tif 000017
【図１６】
2004305554.tif 000018